(57)【要約】【課題】試行錯誤を繰り返すことなく、イメージ通りの大サイズプリントを得ることができるテストプリントを提供する。【解決手段】本発明は、撮影された画像を最終的な大サイズプリントに仕上げる前に、プリントの仕上がり状態を選択し、確認するためのテストプリントであって、大サイズプリントすべき画像全体を縮小して表示した全体表示部（３０）と、画像の一部を、画像をプリントする際の画像パラメータを種々変更して多数表示したパラメータ変更表示部（３２、３４）と、画像の一部を、プリントの仕上がり時とほぼ同倍率で表示した同倍率表示部（３６）と、を有することを特徴としている。【選択図】図２
2007316316.tif 000002
【特許請求の範囲】
【請求項１】
撮影された画像を最終的な大サイズプリントに仕上げる前に、プリントの仕上がり状態を選択し、確認するためのテストプリントであって、
大サイズプリントすべき画像全体を縮小して表示した全体表示部と、
上記画像の一部を、上記画像をプリントする際の画像パラメータを種々変更して多数表示したパラメータ変更表示部と、
上記画像の一部を、プリントの仕上がり時とほぼ同倍率で表示した同倍率表示部と、
を有することを特徴とするテストプリント。
【請求項２】
上記パラメータ変更表示部は、上記画像の色調を種々変更した画像、上記画像の濃度を種々変更した画像、上記画像の彩度を種々変更した画像、又は上記画像のコントラストを種々変更した画像を含む請求項１記載のテストプリント。
【請求項３】
上記パラメータ変更表示部は、上記画像のフィルム種を種々変更した画像、又はモノトーン仕上げの黒のバリエーションを種々変更した画像を含む請求項１記載のテストプリント。
【請求項４】
上記パラメータ変更表示部に隣接して、又は上記パラメータ変更表示部上に、変更したパラメータの項目及び／又はパラメータの変化量が表示されている請求項１又は２記載のテストプリント。
【請求項５】
上記全体表示部に隣接して、又は上記全体表示部上に、テストプリントの依頼者によって指定された文字又は図形が重ねて表示される請求項１乃至４の何れか１項に記載のテストプリント。
【請求項６】
撮影された画像を最終的な大サイズプリントに仕上げる前に、プリントの仕上がり状態を選択し、確認するためのテストプリント表示装置であって、
プリントすべき画像のデータを取り込むデータ取り込み部と、
このデータ取り込み部によって取り込まれた画像データを加工するデータ処理部と、
このデータ処理部によって加工された画像を表示するためのディスプレイ部と、
このディスプレイ部に、大サイズプリントすべき画像全体を縮小して表示した全体画像部、上記画像の一部を上記画像をプリントする際の画像パラメータを種々変更して多数表示したパラメータ変更画像部、及び上記画像の一部をプリントの仕上がり時とほぼ同倍率で表示した同倍率画像部を同時に表示させるディスプレイ制御部と、
を有することを特徴とするテストプリント表示装置。
【請求項７】
さらに、上記ディスプレイ制御部によって上記ディスプレイ部に表示された上記全体画像部、上記変更画像部、及び上記同倍率画像部を１枚の紙面に印刷する画像プリント部を有する請求項６記載のテストプリント表示装置。
【発明の詳細な説明】
【技術分野】
【０００１】
本発明は、テストプリント及びテストプリント表示装置に関し、特に、撮影された画像を最終的な大サイズプリントに仕上げる前に、プリントの仕上がり状態を選択し、確認するためのテストプリント及びテストプリント表示装置に関する。
【背景技術】
【０００２】
従来、アマチュア写真家等の顧客が自己の作品を大きなサイズに引き伸ばしてプリントする場合には、撮影した写真のネガフィルム等をＤＰＥショップに持参し、プリントするサイズを指定して、後日仕上がったプリントを受け取るのみであった。また、必要な場合には、撮影した画像の中のトリミングすべき部分を指定して、所望のプリントを得ていた。
【発明の開示】
【発明が解決しようとする課題】
【０００３】
しかしながら、顧客が、自己の撮影したネガフィルムや、通常のＬ判等にプリントされた写真から、四切以上の大きなサイズに引き伸ばされたプリントの仕上がりをイメージすることは困難であるという問題がある。従って、引き延ばしを依頼した写真の仕上がりがイメージ通りではなく、所望のプリントを得るまでに何回もプリントをやり直し、顧客が無駄な出費をしてしまう場合もある。
【０００４】
特に、小さなネガフィルムやプリントでは、写真のピントや被写体ブレ等の状態を把握することは難しく、不満足なピンボケ写真を大サイズにプリントして無駄な出費をしてしまう場合も多い。また、プリントする写真の色調等を補正したい場合にも、補正後の画像をイメージすることは難しく、思い通りの補正パラメータを得るまでに無駄なプリントが多数必要になってしまう場合もある。
【０００５】
従って、本発明は、試行錯誤を繰り返すことなく、イメージ通りの大サイズプリントを得ることができるテストプリント及びテストプリント表示装置を提供することを目的としている。
【課題を解決するための手段】
【０００６】
上述した課題を解決するために、本発明は、撮影された画像を最終的な大サイズプリントに仕上げる前に、プリントの仕上がり状態を選択し、確認するためのテストプリントであって、大サイズプリントすべき画像全体を縮小して表示した全体表示部と、画像の一部を、画像をプリントする際の画像パラメータを種々変更して多数表示したパラメータ変更表示部と、画像の一部を、プリントの仕上がり時とほぼ同倍率で表示した同倍率表示部と、を有することを特徴としている。
【０００７】
このように構成された本発明によれば、撮影された画像を最終的な大サイズプリントに仕上げる前に、プリントの仕上がり時のイメージを把握することができるので、試行錯誤を繰り返すことなく、イメージ通りの大サイズプリントを得ることができる。
【０００８】
本発明において、好ましくは、パラメータ変更表示部は、画像の色調を種々変更した画像、画像の濃度を種々変更した画像、画像の彩度を種々変更した画像、又は画像のコントラストを種々変更した画像を含む。
このように構成された本発明によれば、様々な仕上がり変化のサンプルを見ることができるので、顧客は希望する仕上げの方向を簡単に見出すことができる。
【０００９】
本発明において、好ましくは、パラメータ変更表示部は、画像のフィルム種を種々変更した画像、又はモノトーン仕上げの黒のバリエーションを種々変更した画像を含む。
【００１０】
このように構成された本発明によれば、特定の画像効果を奏する画像のフィルム種のパラメータ変更表示部を設けることにより、容易に作画意図に合った仕上げを選択することが可能になる。また、黒のバリエーションや調子の硬軟選択により、白黒プリントの仕上げの楽しみをデジタルで味わうことができる。
【００１１】
本発明において、好ましくは、パラメータ変更表示部に隣接して、又はパラメータ変更表示部上に、変更したパラメータの項目及び／又はパラメータの変化量が表示されている。
このように構成された本発明によれば、容易に画像パラメータ変更の内容を把握することができる。
【００１２】
本発明において、好ましくは、全体表示部に隣接して、又は全体表示部上に、テストプリントの依頼者によって指定された文字又は図形が重ねて表示される。
このように構成された本発明によれば、テストプリントを依頼した顧客は、最終的な大サイズプリントに自己のサインや落款を表示したときの表示位置、バランス等を事前に確認することができる。
【００１３】
また、本発明は、撮影された画像を最終的な大サイズプリントに仕上げる前に、プリントの仕上がり状態を選択し、確認するためのテストプリント表示装置であって、プリントすべき画像のデータを取り込むデータ取り込み部と、このデータ取り込み部によって取り込まれた画像データを加工するデータ処理部と、このデータ処理部によって加工された画像を表示するためのディスプレイ部と、このディスプレイ部に、大サイズプリントすべき画像全体を縮小して表示した全体画像部、画像の一部を画像をプリントする際の画像パラメータを種々変更して多数表示したパラメータ変更画像部、及び画像の一部をプリントの仕上がり時とほぼ同倍率で表示した同倍率画像部を同時に表示させるディスプレイ制御部と、を有することを特徴としている。
【００１４】
本発明において、好ましくは、さらに、ディスプレイ制御部によってディスプレイ部に表示された全体画像部、変更画像部、及び同倍率画像部を１枚の紙面に印刷する画像プリント部を有する。
【発明の効果】
【００１５】
本発明のテストプリント及びテストプリント表示装置によれば、試行錯誤を繰り返すことなく、イメージ通りの大サイズプリントを得ることができる。
【発明を実施するための最良の形態】
【００１６】
次に、添付図面を参照して、本発明の好ましい実施形態を説明する。
図１は、本発明の実施形態によるテストプリント表示装置の全体を示す斜視図である。また、図２は、本実施形態のテストプリント表示装置によって出力されるテストプリントの一例を示す図である。また、図３は、顧客が最終的な大サイズプリントを入手するまでの流れを示すフローである。
【００１７】
図１に示すように、本発明の実施形態によるテストプリント表示装置１は、プリントすべき画像のデータを取り込むデータ取り込み部２と、このデータ取り込み部２によって取り込まれた画像データを加工するデータ処理部４と、このデータ処理部４によって加工された画像を表示するためのディスプレイ部６と、を有する。さらに、テストプリント表示装置１は、ディスプレイ部６に表示された画像を紙面に印刷する画像プリント部８を有する。
【００１８】
データ取り込み部２は、プリントすべき画像のデータを取り込むスキャナー１０を備えている。スキャナー１０は、銀塩フィルムやプリントされた写真を読み取って画像データを生成するように構成されている。具体的には、スキャナー１０は、フィルムキャリア１４に保持されたフィルムに、光源１２の光を透過させ、透過光をレンズ１６でＣＣＤ１８上に結像させることによって、画像信号を得ている。ＣＣＤ１８によって生成された画像信号はＡ／Ｄ変換器（図示せず）によってデジタルの画像データに変換されメモリ（図示せず）に記憶される。さらに、取り込まれた画像データは、ＣＲＴ画面２０に表示される。
【００１９】
本実施形態においては、画像データはデジタル形式のデータとしてメモリに記憶される。また、本実施形態においては、スキャナー１０は、銀塩フィルム（１３５、１２０、２２０サイズ等のリバーサル、ネガ、白黒ネガ等）、及びカラープリント、白黒／セピアプリント、インスタント写真等を取り込むことができるように構成されている。
【００２０】
データ処理部４は、データ取り込み部２によって取り込まれた画像データを加工してディスプレイ部６に表示するように構成されている。データ取り込み部２のメモリ（図示せず）に記憶された画像データは、ＬＡＮ回線２２を介してデータ処理部４に送られる。データ処理部４に内蔵された演算回路２４は、データ取り込み部２から入力された画像データの画像パラメータを変更することにより画像データを変換するように構成されている。さらに、データ処理部４に内蔵されたディスプレイ制御部２６は、演算回路２４により画像パラメータを変更して得られた複数の画像データを、ディスプレイ部６の一画面上に同時に表示するように構成されている。具体的には、データ処理部４は、ＣＰＵ、メモリ、ハードディスク、通信機能等を備えたコンピュータ、及びこれにインストールされた画像処理用のコンピュータプログラム等によって構成することができる。
【００２１】
さらに、データ処理部４には、付属装置として種々のデジタルデータを読み取ることができるリーダー部２８が接続されている。このリーダー部２８は、プリントすべき画像がデジタルカメラ等で撮影されたデジタルデータとして持ち込まれた場合に、種々の記録媒体からデータを読み込むことができるように構成されている。従って、プリントすべき画像がデジタルカメラ等で撮影された場合には、リーダー部２８がデータ取り込み部として機能する。リーダー部２８によって取り込まれた画像データは、演算回路２４によって所定の形式の画像データに変換され、データ取り込み部２から取り込まれた画像データと同様に加工される。
【００２２】
本実施形態においては、リーダー部２８は、スマートメディア、ＰＣカード、コンパクトフラッシュ（登録商標）、フロッピー（登録商標）ディスク、光磁気ディスク、ＣＤ−Ｒ等の記録媒体に記録されたデジタルデータを取り込むことができるように構成されている。
【００２３】
次に、図２を参照して、演算回路２４により加工され、ディスプレイ制御部２６によってディスプレイ部６に表示される表示画面を説明する。ディスプレイ部６には、後にテストプリントとして紙面にプリントされる四切サイズとほぼ同一のサイズで、図２に一例を示す画像が表示される。図２に示すように、ディスプレイ部６には、プリントすべき画像全体を縮小して表示した全体画像部３０と、プリントすべき画像の一部を、画像パラメータを種々変更して多数表示したパラメータ変更画像部３２、３４と、プリントすべき画像の一部をプリントの仕上がり時とほぼ同倍率で表示した同倍率画像部３６が表示される。また、ディスプレイ部６の左上には、注文番号３０ａが表示される。さらに、各画像部の余白部分は無彩色であるグレーの無地にされている。
【００２４】
図２に示すように、本実施形態においては全体画像部３０は、ディスプレイ部６の左上約１／４の部分に表示される。全体画像部３０は、顧客が最終的に大サイズプリントしようとする画像全体を縮小して表示するものである。顧客は、この全体画像部３０により、画像のトリミング等が自己のイメージ通りであるか否かを確認することができる。また、この全体画像部３０の上部には、「全体仕上がりイメージ」と表示されており、この画像がプリントすべき画像の全体を表示したものであることを明示している。また、全体画像部３０には、注文時に顧客が指定した顧客のサイン３０ｂが重ねて印刷されている。
【００２５】
一方、パラメータ変更画像部３２は、ディスプレイ部６の上段中央右寄りに表示される。パラメータ変更画像部３２は、全体画像から一部を抽出し、抽出部分の画像パラメータを種々に変更したものである。パラメータ変更画像部３２の左端には抽出部分の画像３２ａが、全体画像部３０と同一の画像パラメータによって表示されている。また、パラメータ変更画像部３２の中央にはコントラストが強調されるように画像パラメータを変更した抽出部分の画像３２ｂが表示され、その右端にはコントラストが弱められるように画像パラメータを変更した抽出部分の画像３２ｃが表示される。顧客は、これらの画像３２ｂ、３２ｃを参照することにより、コントラストを強調又は弱めた画像が自己のイメージに合っているか否かを判断することができる。また、各画像３２ａ、３２ｂ、３２ｃの上部には、夫々「現在」、「コントラスト＋」、「コントラスト−」と表示されており、それらの画像が、夫々、画像パラメータを変更していないもの、コントラストを強調したもの、コントラストを弱めたものであることを明示している。
【００２６】
さらに、パラメータ変更画像部３４は、ディスプレイ部６の下段に表示される。パラメータ変更画像部３４は、全体画像から一部を抽出し、抽出部分の画像パラメータを種々に変更したものであり、画像の色調、濃度、彩度を種々変更した画像が表示される。パラメータ変更画像部３４の左端から順に配置された画像３４ａ乃至３４ｆは、抽出部分の画像のブルー、グリーン、レッド、イエロー、マゼンタ、シアンを夫々強調して表示したものである。顧客は、これらの画像３４ａ乃至３４ｆを参照することにより、各色に色調を変更した画像が自己のイメージに合っているか否かを判断することができる。
【００２７】
また、各画像３４ａ乃至３４ｆの上部には、夫々「５Ｂ」、「５Ｇ」、「５Ｒ」、「５Ｙ」、「５Ｍ」、「５Ｃ」と表示されており、それらの画像が、ブルー、グリーン、レッド、イエロー、マゼンタ、シアンを夫々強調して表示したものであることを明示している。なお、各色の頭文字の前の数値「５」は、色補正の度合いを示すパラメータである。この色補正による変化量は、撮影時に使用される色強調フィルタ５番相当の変化を模したものである。
【００２８】
さらに、画像３４ｆの右側に配置された画像３４ｇ、３４ｈは、抽出部分の画像の濃度を増減して表示したものである。顧客は、これらの画像３４ｇ、３４ｈを参照することにより、濃度を増加又は減少させた画像が自己のイメージに合っているか否かを判断することができる。
また、画像３４ｇ、３４ｈの上部には、夫々「＋１／２Ｄ」、「−１／２Ｄ」と表示されており、それらの画像が、濃度を増加及び減少させて表示したものであることを明示している。また、数値「＋１／２」、「−１／２」は、リバーサルフィルム撮影時にレンズ絞りを夫々＋１／２段、−１／２段変化させた際の画像の濃度変化を模したものであることを示している。
【００２９】
さらに、画像３４ｈの右側に配置された画像３４ｉ、３４ｊは、抽出部分の画像の彩度を増減して表示したものである。顧客は、これらの画像３４ｉ、３４ｊを参照することにより、彩度を増加又は減少させた画像が自己のイメージに合っているか否かを判断することができる。また、画像３２ｉ、３２ｊの上部には、夫々「彩度＋」、「彩度−」と表示されており、それらの画像が、夫々、彩度を増加させたもの、彩度を減少させたものであることを明示している。
【００３０】
また、同倍率画像部３６は、ディスプレイ部６の右端に表示される。同倍率画像部３６は、画像の抽出部分を、顧客が最終的にプリントしようと意図している大きさと同じ倍率で表示したものである。また、同倍率画像部３６の上部には、「同倍率イメージ」と表示されており、この画像が最終的な大サイズプリントと同倍率ものであることを明示している。顧客は、この同倍率画像部３６を参照することにより、画像を自己が意図しているプリントサイズまで引き延ばしたときの画像の細部の状態を確認することができる。即ち、顧客は、同倍率画像部３６により、縮小表示では認識することができない、大サイズプリント時のシャープネスやピントを事前に確認できるので、不満足なピンボケ画像を大サイズプリントしてしまうリスクを回避することができる。これにより、大サイズプリントが必要な画像だけをプリントすることができるので、無用な再プリントを減少させることができる。
【００３１】
一方、図１に示す画像プリント部８には、カラー印画紙をロール状に巻いたペーパーロール４０と、レッド、グリーン、ブルーのレーザー光を夫々射出するレーザー光源４２と、このレーザー光源４２から射出されたレーザー光を印画紙に導く光学系４４が内蔵されている。画像プリント部８は、ディスプレイ部６に表示された図２に示す画像を、そのまま紙面にプリントするように構成されている。データ処理部４において加工された画像データは、ＬＡＮ回線３８を介して画像プリント部８に送られる。
【００３２】
ペーパーロール４０に巻かれたカラー印画紙は、所定の長さに切断され、露光ステージ上を搬送される。レーザー光源４２から射出される各色のレーザー光の強度は、データ処理部４から入力された画像データに基づいて変調される。レーザー光源４２から射出された各色のレーザー光は、光学系４４に内蔵されたミラー、ポリゴンミラー、Ｆθレンズ（以上図示せず）等により、搬送されているカラー印画紙上を走査され、画像が形成される。感光された印画紙は、薬品（図示せず）で処理され、洗浄、乾燥後、ソーター４６に搬送される。
【００３３】
このようにして作成されたテストプリントは、図２に示したディスプレイ部６の表示画像と同様のものである。なお、ディスプレイ部６に表示された全体画像部３０、パラメータ変更画像部３２、３４、及び同倍率画像部３６は、夫々、テストプリント上に全体表示部、パラメータ変更表示部、及び同倍率表示部として印刷される。
【００３４】
次に、図３を参照して、顧客が最終的な大サイズプリントを入手するまでの流れを説明する。なお、図３は、左側に顧客、右側に業者における処理を示している。
まず、ステップＳ１において、顧客は、大サイズプリントを作成したい作品のフィルムネガ等、及びテストプリントの注文書をＤＰＥ受付窓口に持参する。次に、ステップＳ２において、ＤＰＥ受付窓口は、顧客の持参した注文書の必要項目を確認し、受け付けた画像の中のトリミング等についての指示を受ける。さらに、最終的に大サイズプリントしようと考えている印画紙の材質も指定する。材質は、例えば、グロッシー（商標）と呼ばれる光沢紙、クリスタル（商標）と呼ばれるフィルムベースの超平滑紙、ディープマット（商標）と呼ばれるマット面紙等から選択することができる。また、注文書には、最終的な大サイズプリントに合わせて表示すべき顧客のサインや落款等を記入又は押印するサイン記入欄が設けられており、サイン等の印刷を希望する顧客はこのサイン記入欄に記入すると共に、サイン等の印刷位置を指定する。
【００３５】
次に、ステップＳ３において、ＤＰＥ業者は、受け付けたフィルムをテストプリント表示装置１のデータ取り込み部２に読み取らせる。また、ステップＳ４において、データ取り込み部２のＣＣＤ１８によって読み取られた画像データはＡ／Ｄ変換された後、自動的にハイパーシャープネス処理、ハイパートーン処理、粒状抑制処理等の最適化処理を施され画像データとしてメモリ（図示せず）に記憶される。また、顧客が注文書のサイン記入欄に記入したサイン等もデータ取り込み部２によって画像データとして取り込まれる。
【００３６】
さらに、ステップＳ５において、ＤＰＥ業者は、メモリ（図示せず）に記憶された画像データをデータ処理部４により加工する。まず、メモリ（図示せず）に記憶された画像から顧客によって指定された部分がトリミングされる。全体画像部３０は、トリミングされた画像に、顧客のサイン等を指定位置に重ね合わせることによって作成される。さらに、ＤＰＥ業者は、トリミングされた画像中の主要被写体の部分を抽出する。例えば、画像が人物の写真であれば顔の部分を抽出する。パラメータ変更画像部３２、３４は、この抽出画像の画像パラメータを種々変更して作成される。また、同倍率画像部３６は、抽出画像の一部を切り出して作成される。なお、データ取り込み部２によって取り込まれた画像データ及びトリミングされた画像データは、データ処理部４のハードディスク（図示せず）に所定期間保存される。
【００３７】
次いで、ステップＳ６において、ＤＰＥ業者は画像プリント部８を使用して、図２に例示したディスプレイ部６に表示された画像を、顧客が指定した印画紙にプリントして四切サイズのテストプリントを作成する。なお、このテストプリントには、顧客が最終的に大サイズプリントを作成しようと意図している印画紙と同一のものが使用されるため、顧客は印画紙の光沢等を含めて、最終的な大サイズプリントの仕上がりをイメージすることができる。
【００３８】
ステップＳ７において、顧客は、納品されたテストプリントを受け取る。次いで、ステップＳ８において、顧客はテストプリントをチェックする。即ち、顧客は、テストプリントの全体表示部を参照して、トリミングが指定通りに行われ、サインが指定位置に印字されているか等を確認する。また、顧客は、テストプリントの同倍率表示部を参照して、撮影した画像のピント等を確認する。さらに、顧客は、テストプリントのパラメータ変更表示部を参照して、種々の画像パラメータをどのように変更すると、自己のイメージ通りの画像になるかを判断する。
【００３９】
次に、顧客は、ステップＳ９において、テストプリントを作成した画像を最終的に大サイズプリントするか否かを判断する。テストプリントを確認した結果、他の画像を大サイズプリントすべきであると判断した場合や、更なる画像パラメータの変更が必要であると判断した場合には、ステップＳ１に戻り、再びテストプリントを注文する。一方、テストプリントを作成した画像の大サイズプリントを作成する場合には、顧客は、テストプリントに基づいてＤＰＥ業者に大サイズプリントを注文する。
【００４０】
ステップＳ１０において、ＤＰＥ業者は、顧客から大サイズプリントの注文及びテストプリントに基づく変更の指示を受ける。例えば、顧客は、「色調を５Ｒに変更し、コントラストを強調する。」と指示することにより、自己のイメージ通りの画像を注文することができる。また、大サイズプリントすべき画像は、テストプリントの左上に表示されている注文番号３０ａを指定することにより特定することができる。
【００４１】
指示を受けたＤＰＥ業者は、ステップＳ１１において、顧客の指示通りに画像パラメータを変更する。なお、テストプリントの注文時に取り込んだトリミング後の画像データがデータ処理部４のハードディスク（図示せず）に保存されているので、ＤＰＥ業者は、その画像データに指定通りのパラメータ変更を加えるだけで指定された画像を作成することができる（ステップＳ１２）。
【００４２】
次いで、ステップＳ１３において、ＤＰＥ業者は、顧客の指定通りに加工した画像を画像プリント部８によって四切等、指定されたサイズの印画紙にプリントして大サイズプリントを作成する。さらに、ステップＳ１４において、顧客は、納品された大サイズプリントを確認し、必要であれば、大サイズプリントを追加注文する。
【００４３】
本発明の実施形態のテストプリント及びテストプリント表示装置によれば、試行錯誤を繰り返すことなく、イメージ通りの大サイズプリントを得ることができる。
【００４４】
また、本実施形態のテストプリントによれば、テストプリントが最終的な大サイズプリントと同じ面種のペーパーにプリントされるので、より正確に最終的な仕上がりイメージをつかむことができる。
【００４５】
さらに、本実施形態のテストプリント及びテストプリント表示装置によれば、全体画像部又は全体表示部により、画面構成で複雑な注文を行った場合でも、容易に仕上がりイメージをつかむことができる。
【００４６】
また、本実施形態のテストプリント及びテストプリント表示装置によれば、パラメータ変更画像部及びパラメータ変更表示部に、コントラスト及び彩度の画像パラメータを変更した画像が含まれているので、現行の一般的なデジタル一眼レフカメラのように元の画像データが軟調、低彩度である場合や、様々なコントラスト及び彩度を持つフィルムやプリントの場合にも最適な仕上げポイントを容易に見つけることができる。
【００４７】
さらに、本実施形態のテストプリントによれば、各パラメータ変更表示部が短冊形に構成されているので、これを切り取ってパラメータ変更の効果を容易に直接比較することができる。
【００４８】
また、本実施形態のテストプリント及びテストプリント表示装置によれば、様々な画質変化のサンプルを見ることができるので、顧客は希望する仕上げの方向を簡単に見出すことができる。
【００４９】
さらに、本実施形態のテストプリント及びテストプリント表示装置によれば、各パラメータ変更表示部の上に、変更項目及び変化量が記載されているので、容易に画像パラメータ変更の内容を把握することができる。
【００５０】
また、本実施形態のテストプリント及びテストプリント表示装置によれば、テストプリントを確認した後に、最終的な大サイズプリントに対する指示を出すことができるので、顧客は、ラボ任せではなく、暗室プリントマンを使って自分自身でプリントを仕上げる喜びを感じることができる。
【００５１】
さらに、本実施形態のテストプリント及びテストプリント表示装置によれば、各画像部及び各表示部の背景部分の色がグレーにされているので、プリントの色味や濃度を正確に把握することができる。
【００５２】
また、本実施形態のテストプリント及びテストプリント表示装置によれば、同倍率画像部及び同倍率表示部を有するので、最終的に大サイズプリントした時のシャープネスやピントを事前に確認することができ、不満足なピンボケ画像を大サイズプリントしてしまうリスクを回避することができると共に、大サイズプリントの仕上がりを事前に確認できるので、無用な再プリントを減少させることができる。
【００５３】
以上、本発明の好ましい実施形態を説明したが、上述した実施形態に種々の変更を加えることができる。特に、テストプリントに表示される画像パラメータの変更項目及び配列は任意に変更することができる。
【００５４】
また、上述した実施形態では、パラメータの項目及び変化量は、パラメータ変更表示部の上に隣接して表示されていたが、項目及び変化量をパラメータ変更表示部上に重ねて表示しても良い。
【００５５】
さらに、上述した実施形態では、テストプリント及び最終的な大サイズプリントとも四切等、同一の指定サイズであったが、最終的な大サイズプリントの用紙はテストプリントの用紙よりも大きくても良く、テストプリントとして四切よりも大きな用紙を使用することもできる。
【００５６】
また、上述した実施形態では、画像プリント部は、レーザー露光により画像を形成するプリンタであったが、インクジェット方式や、昇華方式等任意のタイプのプリンタを画像プリント部として使用することができる。
【００５７】
さらに、上述した実施形態においては、顧客がＤＰＥ受付窓口にてテストプリント及び大サイズプリントを注文し、受け取っていたが、注文はインターネット等を介してオンラインで行っても良い。この場合には、元の画像データは、インターネットを介して送信されても良いし、フィルム等を郵送又は宅配により業者に送るようにしても良い。
【００５８】
図４は、テストプリントの第１変形例を示す。この第１変形例のテストプリントでは、上段のパラメータ変更表示部に濃度パラメータを変更した画像を表示し、下段のパラメータ変更表示部には、色調パラメータを変更した画像及びフィルム種のパラメータを変更した画像５０が表示されている。フィルム種のパラメータとは、既存の銀塩フィルムによって得られる画像効果を模した画質の変化を与えるものである。この画質の変化は、フィルム種毎に、色調、階調、彩度等のパラメータを特定の組み合わせで変化させることにより得ることができる。このように特定の画像効果を奏するパラメータ変更表示部を設けることにより、容易に作画意図に合った仕上げを選択することが可能になる。
【００５９】
また、図５は、テストプリントの第２変形例を示す。この第２変形例のテストプリントは、モノトーン仕上げのバリエーションを表示したものである。このテストプリントでは、上段のパラメータ変更表示部にコントラストを変更した画像を表示し、下段のパラメータ変更表示部には、黒のバリエーションとして純黒調、温黒調、冷黒調、セピア１、セピア２、セピア３にパラメータを変更した画像５２が表示されている。さらに、下段のパラメータ変更表示部には、濃度を−１から＋１まで４段階変化させた画像５４も表示されている。このテストプリントでは、黒のバリエーションや調子の硬軟選択により、白黒プリントの仕上げの楽しみをデジタルで味わうことができる。
【図面の簡単な説明】
【００６０】
【図１】本発明の実施形態によるテストプリント表示装置の全体を示す斜視図である。
【図２】本発明の実施形態によるテストプリント表示装置によって出力されたテストプリントの一例を示す図である。
【図３】顧客が最終的な大サイズプリントを入手するまでの流れを示すフローである。
【図４】本発明の実施形態によるテストプリントの第１変形例を示す図である。
【図５】本発明の実施形態によるテストプリントの第２変形例を示す図である。
【符号の説明】
【００６１】
１      テストプリント表示装置
２      データ取り込み部
４      データ処理部
６      ディスプレイ部
８      画像プリント部
１０    スキャナー
１２    光源ランプ
１４    フィルムキャリア
１６    レンズ
１８    ＣＣＤ
２０    ＣＲＴ画面
２２    ＬＡＮ回線
２４    演算回路
２６    ディスプレイ制御部
２８    ーダー部
３０    全体画像部
３０ａ  注文番号
３０ｂ  サイン
３２    パラメータ変更画像部
３４    パラメータ変更画像部
３６    同倍率画像部
３８    ＬＡＮ回線
４０    ペーパーロール
４２    レーザー光源
４４    光学系
４６    ソーター
５０    画像
５２    画像
５４    画像
【図１】
2007316316.tif 000003
【図２】
2007316316.tif 000004
【図３】
2007316316.tif 000005
【図４】
2007316316.tif 000006
【図５】
2007316316.tif 000007